(57)【特許請求の範囲】
【請求項１】
電気ヒータが内蔵されたパネル本体と、前記電気ヒータに接続された状態で前記パネル本体を横断するように配設された、両端部にコネクタが接続された電源線とを備え、一方の前記コネクタが前記パネル本体に固定されていると共に、他方の前記コネクタが、前記パネル本体から引き出し可能に、前記パネル本体に形成された収納凹部に収納されている床暖房パネルを、隣接する床暖房パネルの電源線同士を前記コネクタを介して相互に接続した後、その接続部分を前記パネル本体に形成された前記収納凹部に収納しながら敷設する床暖房パネルの敷設方法において、
既に敷設された床暖房パネルの前記収納凹部から引き出された前記電源線に接続された前記コネクタを、次に敷設しようとする床暖房パネルの前記パネル本体に固定された前記コネクタに接続した後、その接続部分を既に敷設された前記床暖房パネルの前記収納凹部に収納するようにしたことを特徴とする床暖房パネルの敷設方法。
【請求項２】
電気ヒータが内蔵されたパネル本体と、前記電気ヒータに接続された状態で前記パネル本体を横断するように配設された、両端部にコネクタが接続された電源線とを備え、
一方の前記コネクタが前記パネル本体に固定されていると共に、他方の前記コネクタが、前記パネル本体から引き出し可能に、前記パネル本体に形成された収納凹部に収納されており、
前記パネル本体に固定された前記コネクタが、前記パネル本体の貼り始め端側に位置している床暖房パネル。
【発明の詳細な説明】
【０００１】
【発明の属する技術分野】
この発明は、パネル本体に電気ヒータが内蔵された床暖房パネルの敷設方法、特に、敷設作業性に優れた床暖房パネルの敷設方法に関する。
【０００２】
【従来の技術及び発明が解決しようとする課題】
床仕上材として使用される床仕上材一体型の床暖房パネルとしては、図７に示すようなものがある。この床暖房パネル５０は、面状発熱体や線ヒータ等の電気ヒータ（図示せず）が内蔵されたパネル本体５１と、この電気ヒータに電気的に接続された状態でパネル本体５１の内部をその短手方向に横断する電源線５２と、この電源線５２の両端部に接続されたコネクタ５３ａ、５３ｂとを備えており、一方のコネクタ５３ａはパネル本体５１に固定されていると共に、他方のコネクタ５３ｂは、パネル本体５１から引き出し可能にパネル本体５１に形成された収納凹部５１ａに収納されている。
【０００３】
こういったタイプの床暖房パネル５０は、通常以下のようにして敷設されている。まず、図７（ａ）に示すように、パネル本体５１の収納凹部５１ａ側を貼り始め端として、１枚目の床暖房パネル５０をパネル敷設面Ｓに敷設する。次に、２枚目の床暖房パネル５０を敷設する際は、同図（ａ）、（ｂ）に示すように、２枚目の床暖房パネル５０の収納凹部５１ａからコネクタ５３ｂを引き出し、既に敷設された１枚目の床暖房パネル５０のパネル本体５１に固定されたコネクタ５３ａに接続した後、同図（ｃ）に示すように、その接続部分及び引き出された電源線５２を再び２枚目の床暖房パネル５０の収納凹部５１ａに収納しながら敷設する。
【０００４】
しかしながら、上述したような敷設方法では、既に敷設された１枚目の床暖房パネル５０の固定側のコネクタ５３ａに、これから敷設しようとする２枚目の床暖房パネル５０の可動側のコネクタ５３ｂを接続することになるが、既に敷設された１枚目の床暖房パネル５０の固定側のコネクタ５３ａはパネル敷設面Ｓの近傍にパネル本体５１と共に固定設置されることになるので、２枚目の床暖房パネル５０の可動側のコネクタ５３ｂを接続しようとすると、パネル敷設面Ｓの近傍でその接続作業を行わなければならず、コネクタ５３ａ、５３ｂ間の接続を行いにくいといった問題がある。
【０００５】
また、この種の床暖房パネル５０では、通常、収納凹部５１ａがパネル本体５１の裏面側に開放されているので、収納凹部５１ａに電源線５２の引出部分を収納した状態で２枚目の床暖房パネル５０を敷設しようとしても、一旦収納された電源線５２が収納凹部５１ａから脱落してしまうことがあり、その状態で２枚目の床暖房パネル５０を敷設すると、同図（ｃ）に示すように、パネル本体５１の裏面とパネル敷設面Ｓとの間に電源線５２が挟み込まれた状態となって２枚目の床暖房パネル５０が電源線５２の分だけ浮き上がってしまうといった問題があった。
【０００６】
そこで、この発明の課題は、コネクタ間の接続作業性に優れ、しかも、パネル本体に形成された収納凹部内に確実に電源線を収納した状態で床暖房パネルを敷設することのできる床暖房パネルの敷設方法及びその敷設方法に使用される床暖房パネルを提供することにある。
【０００７】
【課題を解決するための手段及びその効果】
上記の課題を解決するため、この発明は、電気ヒータが内蔵されたパネル本体と、前記電気ヒータに接続された状態で前記パネル本体を横断するように配設された、両端部にコネクタが接続された電源線とを備え、一方の前記コネクタが前記パネル本体に固定されていると共に、他方の前記コネクタが、前記パネル本体から引き出し可能に、前記パネル本体に形成された収納凹部に収納されている床暖房パネルを、隣接する床暖房パネルの電源線同士を前記コネクタを介して相互に接続した後、その接続部分を前記パネル本体に形成された前記収納凹部に収納しながら敷設する床暖房パネルの敷設方法において、既に敷設された床暖房パネルの前記収納凹部から引き出された前記電源線に接続された前記コネクタを、次に敷設しようとする床暖房パネルの前記パネル本体に固定された前記コネクタに接続した後、その接続部分を既に敷設された前記床暖房パネルの前記収納凹部に収納するようにしたのである。
【０００８】
従って、この敷設方法では、請求項２に記載されているように、電気ヒータが内蔵されたパネル本体と、前記電気ヒータに接続された状態で前記パネル本体を横断するように配設された、両端部にコネクタが接続された電源線とを備え、一方の前記コネクタが前記パネル本体に固定されていると共に、他方の前記コネクタが、前記パネル本体から引き出し可能に、前記パネル本体に形成された収納凹部に収納されており、前記パネル本体に固定された前記コネクタが、前記パネル本体の貼り始め端側に位置している床暖房パネルが使用される。
【０００９】
以上のように構成された床暖房パネルの敷設方法では、既に敷設された床暖房パネルの収納凹部から引き出された電源線に接続されたコネクタと、次に敷設しようとする床暖房パネルのパネル本体に固定されたコネクタとを接続するようにしたため、パネル敷設面からある程度上方の位置において自由度のある状態でコネクタ間の接続を行うことができ、従来の敷設方法に比べてコネクタの接続作業性が向上する。
【００１０】
また、この敷設方法では、既に敷設された床暖房パネルの収納凹部からコネクタを引き出し、次に敷設する床暖房パネルのパネル本体に固定されたコネクタに接続した後、その接続部分及び引き出された電源線を既に敷設された床暖房パネルの収納凹部に収納するようにしたため、収納しようとする電源線がパネル本体とパネル敷設面との間に入り込むことはなく、常に、電源線が収納凹部に完全に収納された状態で床暖房パネルの敷設が行われることになり、従来の敷設方法を採用した場合のように、パネル本体とパネル敷設面との間に電源線が挟み込まれることに伴って発生する床暖房パネルの浮き上がりを確実に防止することができる。
【００１１】
【発明の実施の形態】
以下、実施の形態について図面を参照して説明する。図１ないし図３に示すように、この床暖房パネル１は、床下地である捨貼合板の上に敷設される捨貼工法用の床暖房パネルであり、雁行形状のパネル本体１０と、このパネル本体１０に内蔵される電気ヒータ２０及びＶＶＦケーブルからなる電源線３０とから構成されている。
【００１２】
前記パネル本体１０は、図２に示すように、表面に突板等からなる表面化粧材１３が積層され、裏面側に電気ヒータ２０及び電源線３０を収容するための凹部１１ａが形成された３プライ合板または５プライ合板等の木質板からなるパネル基材１１と、電気ヒータ２０及び電源線３０を収容した状態でパネル基材１１の凹部１１ａを閉塞する蓋板１４とから構成されており、パネル基材１１は、図１に示すように、表面化粧材１３に擬似溝１３ａが形成された４枚の基材ピース１２をその長手方向に不規則にずらした状態で短手方向に相互に接合することによって形成されている。
【００１３】
前記電気ヒータ２０としては、アルミ箔等からなる熱伝導性の良好な均熱シートや、不織布等からなる基材シートに線ヒータを所定のヒータパターンで布線したものや、自己温度制御特性を備えたＰＴＣヒータ等の面状発熱体等が使用されており、パネル基材１１の凹部１１ａ内において電源線３０に接続されている。
【００１４】
前記電源線３０は、図２及び図３に示すように、パネル基材１１の凹部１１ａに収容された状態で、パネル本体１０をその短手方向に横断するように配設されており、両端部には、短手方向に隣接する床暖房パネル１の電源線３０同士を相互に接続するためのコネクタ３１ａ、３１ｂがそれぞれ接続されている。
【００１５】
図３に示すように、一方のコネクタ３１ａはパネル基材１１の貼り始め端側から突出した状態でパネル基材１１に固着されていると共に、他方のコネクタ３１ｂは、パネル基材１１から引き出し可能にパネル基材１１（パネル本体１０）に形成された収納凹部１０ａに収納されており、この収納凹部１０ａはパネル基材１１及び蓋板１４の一部を切り欠くことによってパネル本体１０の裏面に開放されている。なお、図３には、コネクタ３１ｂをパネル本体１０から引き出した状態を示している。
【００１６】
以上のように構成された床暖房パネル１を用いて床暖房フロアを施工する場合について、図４及び図５を参照しながら説明する。図４（ａ）に示すように、パネル本体１０のコネクタ３１ａ側を貼り始め端として、１枚目の床暖房パネル１をパネル敷設面Ｓに敷設する。次に、２枚目の床暖房パネル１を敷設する際は、同図（ａ）、（ｂ）に示すように、既に敷設された１枚目の床暖房パネル１の収納凹部１０ａからコネクタ３１ｂを引き出し、これから敷設しようとする２枚目の床暖房パネル１のパネル本体１１に固着されたコネクタ３１ａに接続した後、同図（ｃ）に示すように、その接続部分及び引き出された電源線３０を、既に敷設された１枚目の床暖房パネル１の収納凹部１０ａに再び収納しながら２枚目の床暖房パネル１を敷設する。このようにして３枚目以降の床暖房パネル１についても同様に敷設する（図５参照）。
【００１７】
以上のように、この敷設方法では、既に敷設された床暖房パネル１の収納凹部１０ａから引き出された電源線３０に接続されたコネクタ３１ｂと、次に敷設しようとする床暖房パネル１のパネル基材１１に固着されたコネクタ３１ａとを接続するようにしたため、パネル敷設面Ｓからある程度上方の位置において自由度のある状態でコネクタ３１ａ、３１ｂ間の接続を行うことが可能となり、接続しずらいパネル敷設面Ｓの近傍においてコネクタ間の接続を行わなければならない従来の敷設方法に比べて、効率よく床暖房パネル１を敷設することができる。
【００１８】
また、この敷設方法では、上述したように、既に敷設された床暖房パネル１の収納凹部１０ａから引き出されたコネクタ３１ｂと、次に敷設しようとする床暖房パネル１のパネル基材１１に固着されたコネクタ３１ａとを接続した後、その接続部分及び引き出された電源線３０を既に敷設された床暖房パネル１の収納凹部１０ａに収納することになるが、既に敷設されている床暖房パネル１は、図６に示すように、収納凹部１０ａが開放されているパネル基材１１の裏面がパネル敷設面Ｓと接触した状態で固定されているので、収納しようとする電源線３０がパネル本体１０とパネル敷設面Ｓとの間に入り込むことはなく、常に、電源線３０が収納凹部１０ａに完全に収納された状態で床暖房パネル１の敷設が行われることになる。従って、従来の敷設方法を採用した場合のように、パネル本体とパネル敷設面との間に電源線が挟み込まれることに伴って発生する床暖房パネルの浮き上がりを確実に防止することができる。
【００１９】
また、この敷設方法では、既に敷設されることでパネル敷設面Ｓに固定された床暖房パネル１の収納凹部１０ａからコネクタ３１ｂを引き出すようにしているので、従来の敷設方法のように、これから敷設しようとする固定されていない床暖房パネル１の収納凹部１０ａからコネクタ３１ｂを引き出す場合に比べて、簡単にコネクタ３１ｂを引き出すことができるという利点もある。
【００２０】
なお、この実施形態では、床下地としての捨貼合板の上に床暖房パネル１を敷設する場合について説明したが、本発明の敷設方法は、こういった捨貼工法用の床暖房パネルに限定されるものではなく、直貼りタイプの床暖房パネルをコンクリートスラブ上に直接敷設する場合にも適用することができることはいうまでもない。
【００２１】
また、この実施形態では、パネル本体１０が、４枚の基材ピース１２をその長手方向に不規則にずらした状態で短手方向に相互に接合したパネル基材１１によって構成されている床暖房パネル１について説明したが、パネル本体１０はこういったものに限定されるものではなく、基材ピースのずらし間隔が一定である単なる階段状のパネル基材や完全な長方形状のパネル基材によって構成された床暖房パネルを使用することもできる。但し、この実施形態のように、基材ピース１２をその長手方向に不規則にずらしたパネル基材１１を使用するほうが、基材ピースを一定間隔でずらした階段状のパネル基材や長方形状のパネル基材を使用する場合に比べて、パネル間の継目が目立ちにくくなるといった効果がある。
【００２２】
また、パネル基材１１は、上述したように、接合される基材ピース１２の数が４枚のものに限定されるものではなく、３枚、２枚あるいは５枚以上の基材ピースを相互に接合したパネル基材を使用することも可能である。
【００２３】
また、この実施形態では、パネル間の継目をより目立ちにくくするために、各基材ピース１２の表面化粧材１３に擬似溝１３ａを形成しているが、擬似溝１３ａは必ずしも形成する必要はない。
【図面の簡単な説明】
【図１】この発明にかかる敷設方法に使用される床暖房パネルの一実施形態を示す平面図である。
【図２】同上の床暖房パネルを示す長手方向の断面図である。
【図３】同上の床暖房パネルを示す短手方向の断面図である。
【図４】同上の床暖房パネルの敷設方法を示す工程図である。
【図５】同上の床暖房パネルの敷設方法を示す概略平面図である。
【図６】同上の床暖房パネルを敷設した状態における収納凹部を示す図である。
【図７】従来の床暖房パネルの敷設方法を示す工程図である。
【符号の説明】
１  床暖房パネル
１０  パネル本体
１０ａ  収納凹部
１１  パネル基材
１１ａ  凹部
２０  電気ヒータ
３０  電源線
３１ａ、３１ｂ  コネクタ
Ｓ  パネル敷設面
【図１】
0003986197.tif 000002
【図２】
0003986197.tif 000003
【図３】
0003986197.tif 000004
【図４】
0003986197.tif 000005
【図５】
0003986197.tif 000006
【図６】
0003986197.tif 000007
【図７】
0003986197.tif 000008